(57)【要約】【課題】建物用庇の建物躯体に対する取り付け施工の工事が、工事現場に足場を組むことなく、キャタツを設置するたけで行えることになることから、この建物用庇の取付部材の上面側に装設する化粧カバーを、施工工事の初期の取付部材を取り付けた時点において取付部材に組み付けることで、取付部材を取り付けるアンカーボルトの頭部と、庇パネルを取り付ける取付ボルトの頭部とを覆い、かつ、水切りとなる状態となるように、建物用庇を構成する。【解決手段】取付部材Ａを、側面視において横向きのＴ字状をなす形状に形成し、水平な棚板状の横板部１１の下面側に、庇パネルＤの基端部を下方から当接せしめて取付ボルトＦにより取り付ける取付座１２を形成し、この取付座１２に、取付ボルトＦの頭部を係着させる嵌合部１３を形設する。【選択図】図７
0003156400.tif 000002
【実用新案登録請求の範囲】
【請求項１】
建物用庇（Ｗ）の庇体（Ｇ）を建物躯体（Ｂ）に対して取り付ける取付部材（Ａ）を、背面側が建物躯体（Ｂ）の外壁面（ｂ）に当接する垂直面に沿う縦板部（１０）と、その縦板部（１０）の前面側の上下の中間部位から前方に略水平な棚板状に突出する横板部（１１）とで、側面視において横向きのＴ字状をなす形状に形成し、水平な棚板状の横板部（１１）の下面側には、庇パネル（Ｄ）の基端部を下方から当接せしめて取付ボルト（Ｆ）により取り付ける取付座（１２）を形成し、この取付座（１２）に、下方から当接させる庇パネル（Ｄ）の基端部に上下に貫通させて嵌挿せる取付ボルト（Ｆ）の頭部を係着させる嵌合部（１３）を形設し、建物躯体（Ｂ）に取り付けた取付部材（Ａ）に化粧カバー（Ｋ）を組み付けた状態で、庇パネル（Ｄ）の取付ボルト（Ｆ）による取り付けを可能とした建物用庇。
【請求項２】
取付部材（Ａ）の横板部（１１）に、庇パネル（Ｄ）を取り付ける取付ボルト（Ｆ）の頭部とその頭部に取り付けた組付座板とを嵌合さすよう形成する嵌合部（１３）を、断面アリ溝状の嵌合溝に形成して、嵌合した取付ボルト（Ｆ）の旋回回動により組付座板の係着が行われるようにしたことを特徴とする請求項１記載の建物用庇。
【請求項３】
取付部材（Ａ）の横板部（１１）の上面側で、嵌合部（１３）の上方に位置する部位に、嵌合部（１３）に嵌合せしめた取付ボルト（Ｆ）の頭部（２０）と組付座板（２１）を覆う覆い部（１７）を設けたことを特徴とする請求項１記載の建物用庇。
【考案の詳細な説明】
【技術分野】
【０００１】
本考案は、建物躯体の外壁面に、ボルトにより取り付ける取付部材に、アルミ材で中空の短冊状に押出成形した庇パネルを幅方向に並列させて連結して組み立てる庇体を取付ボルトにより取り付けて、建物の外面に張り出すように装設する形態の建物用庇についての改良に関する。
【背景技術】
【０００２】
アルミ材等の軽金属材により、中空の短冊状に成形した庇パネルを、建物躯体の外壁面に取り付けた取付部材に、幅方向に並列させて取り付けて、建物の外面から張り出す庇体に組み立て装設する建物用庇は、従前のものにあっては、図１にあるように、縦板部１０と横板部１１とで、略Ｌ字形の断面形状で左右方向に連続する取付部材Ａを成形しておいて、これを建物躯体Ｂの外壁面ｂに、アンカーボルト等のボルトＣの打ち込みにより取り付けておき、この取付部材Ａの水平な棚板状の横板部１１の長手方向における左右の一端側の上面に、図２にあるように、アルミ材等の金属材で中空の短冊状に成形した庇パネルＤの基端側を載架して、アングル状に形成した取付座板Ｅを介し取付ボルトＦにより取付部材Ａに対して取り付け固定し、この庇パネルＤの、隣側で前記左右の他端側に、別の短冊状の庇パネルＤを配位し、前述の取り付けた庇パネルＤに並列させて、係止部により互いに連結し、この状態で、前述の庇パネルＤと同様にアングル状の取付座板Ｅを介し取付ボルトＦにより取付部材Ａの横板部１１に取り付け固定し、この作業を重ね、短冊状の庇パネルＤを順次並列させて連結して、図３に示しているように所定の巾の庇体Ｇに組み立てて、建物外面から張り出す建物用庇Ｗを構成するようにしている。そして、建物用庇Ｗの張り出し長さが長いときは、庇体Ｇの先端側の上面と、建物躯体Ｂの外壁面ｂとの間に、吊りアームＨを渡架して、取付部材Ａを介して建物躯体Ｂに組み付けた庇体Ｇを、それの基端側を支持する取付部材Ａと、先端側を支持する吊りアームＨとで建物躯体Ｂの外面に装設するようにしている。
【０００３】
この形態の建物用庇Ｗは、庇体Ｇの基端側を取り付けた取付部材Ａの上面側に、図２にあるようにそこに露出してくるアンカーボルトＣの頭部と取付ボルトＦの頭部とをかくして化粧するためと、庇体Ｇの基端部の水切りのために、図１および図３にあるように化粧カバーＫが取り付けられる。
【０００４】
この化粧カバーＫの取り付けは、庇パネルＤの取り付けを終え、組み立てられた庇体Ｇを、吊りアームＨにより支持せしめた状態となったところで、作業者が庇体Ｇの上に乗って行う。
【０００５】
このため、この形態の建物用庇Ｗの取り付け施工には、施工現場に足場を組み、その足場に作業者が乗り降りして作業するようにしている。
【０００６】
この建物用庇Ｗを建物躯体Ｂの外壁面ｂに取り付ける施工工事において、建物躯体Ｂの外壁面ｂに、取付部材Ａを取り付ける工事、及び吊りアームＨの上端側を建物躯体Ｂに取り付ける取付金具ｈを取り付ける工事、及び、取り付けた取付部材Ａに、中空の短冊状に成形した庇パネルＤを、幅方向に順次並列させて取り付けていく工事、及び庇パネルＤの並列取り付けで組み立てられた庇体Ｇの上面の先端側に、吊りアームＨの下端側を連結する工事は、施工現場に設置するキャタツを用いることでも行える。工事する部位がキャタツの上に乗る作業者の手に届く範囲にあるからである。しかし、建物用庇Ｗの取付工事の最後に行う、取付部材Ａの上面側に化粧カバーＫを取り付ける工事は、組み付けた建物用庇の庇体Ｇに遮られることで、キャタツに乗った作業者の手の届かない場所となるので、キャタツの上からでは取付工事は出来ない。足場をつかって、組み付けた建物用庇Ｗの庇体Ｇ上に作業者が乗り、その庇体Ｇの上でしか化粧カバーＫの取付工事の作業はできない。
【考案の概要】
【考案が解決しようとする課題】
【０００７】
建物用庇の建物躯体に対する取り付け施工の工事において、施工工事の最後に行うことで、施工現場に足場を組むことを必要としている取付部材の上面側に組み付ける化粧カバーが、施工工事の初期の取付部材を建物躯体に取り付けた時点において、取付部材の上面側に取り付けることが出来れば、この建物用庇の建物躯体に対する取り付け施工の工事が、工事現場に足場を組むことなく、キャタツを設置するたけで行えることになることから、この建物用庇の取付部材の上面側に装設する化粧カバーを、施工工事の初期の取付部材を取り付けた時点において取付部材に組み付けることで、取付部材を取り付けるアンカーボルトの頭部と、庇パネルを取り付ける取付ボルトの頭部とを覆い、かつ、水切りとなる状態となるように、建物用庇を構成する点にある。
【課題を解決するための手段】
【０００８】
本考案は、上述の課題を解決するための手段として、建物用庇の庇体を建物躯体に対して取り付ける取付部材を、背面側が建物躯体の外壁面に当接する垂直面に沿う縦板部と、その縦板部の前面側の上下の中間部位から前方に水平な棚板状に突出する横板部とで、側面視において横向きのＴ字状をなす形状に形成し、水平な棚板状の横板部の下面側には、庇パネルの基端部を下方から当接せしめて取付ボルトにより取り付ける取付座を形成し、この取付座に、下方から当接させる庇パネルの基端部に上下に貫通させて嵌挿せる取付ボルトの頭部を係着させる嵌合部を形設し、建物躯体に取り付けた取付部材に化粧カバーを組み付けた状態で、庇パネルの取付ボルトによる取り付けを可能とした建物用庇を提起するものである。また、これに併せて、
取付部材の横板部に、庇パネルを取り付ける取付ボルトの頭部とその頭部に取り付けた組付座板とを嵌合さすよう形成する嵌合部を、断面アリ溝状の嵌合溝に形成して、嵌合した取付ボルトの旋回回動により組付座板の係着が行われるようにしたことを特徴とする建物用庇を提起し、さらに、
取付部材の横板部の上面側で、嵌合部の上方に位置する部位に、嵌合部に嵌合せしめた取付ボルトの頭部と組付座板を覆う覆い部を設けたことを特徴とする建物用庇を提起するものである。
【考案の効果】
【０００９】
建物用庇の建物躯体に対する取り付け施工の工事が、施工現場に足場を組むことなく、キャタツを設置するだけで行えるようになる。
【図面の簡単な説明】
【００１０】
【図１】従前の建物用庇の、建物躯体の外壁面に取り付けた状態における取付部分の縦断側面図である。
【図２】同上建物用庇の、建物躯体の外壁面に取り付ける施工工程の途上における斜視図である。
【図３】同上建物用庇の、建物躯体に取り付けた状態における斜視図である。
【図４】本考案による建物用庇の、建物躯体の外壁面に取り付けた状態における一部破断した斜視図である。
【図５】同上建物用庇の、取付基端部分の各部材の取り付け施工前の状態における側面図である。
【図６】同上建物用庇の、取付基端部分の各部材の同上状態における斜視図である。
【図７】同上建物用庇の取付基端部分の、建物躯体に取り付けた状態における縦断側面図である。
【図８】同上建物用庇の取付基端部分に角度変更部材を組み合わせて、建物躯体に取り付けた状態時における縦断側面図である。
【図９】同上建物用庇の、庇パネルの正面図である。
【図１０】同上建物用庇の、中間連結部材の正面図である。
【図１１】同上建物用庇の、庇パネルと中間連結部材とで組み立てた庇体の縦断正面図である。
【図１２】同上建物用庇の庇体の側端縁に取り付ける端部カバーの正面図である。
【図１３】同上建物用庇を組み立てる各部材の、取付工程に従い配置した状態の斜視図である。
【図１４】同上建物用庇の、前端縁に取り付ける雨樋の取付状態を説明する縦断側面図である。
【考案を実施するための形態】
【００１１】
次に本考案の実施の態様を、実施例につき図面に従い詳述する。
【実施例１】
【００１２】
図４は、本考案を実施せる建物用庇の、建物躯体の外壁面に取り付け施工した状態の一部破断した斜視図である。同図において、Ｂは建物躯体で外壁面ｂの一部を示している。Ａは建物躯体Ｂの外壁面ｂに、アンカーボルト等のボルトＣの打ち込みにより取り付けた取付部材、Ｄは、アルミ材等の金属材の押出成形により中空の短冊状のパネルに成形した庇パネル、Ｆは庇パネルＤの基端側を取付部材Ａの横板部１１の下面側に取り付けている取付ボルト、Ｇは庇パネルＤを巾方向に並列させて取付部材Ａに取り付けることで組み立てられた庇体、Ｉは庇体Ｇの左右の側端部に取り付けた端部カバー、Ｊは庇体Ｇの先端縁に取り付けた雨樋、Ｋは庇体Ｇの基端部の上面側と取付部材Ａの上面側を覆うように取り付けた化粧カバーを示す。
【００１３】
取付部材Ａは、図５の側面図および図６の斜視図および図７にあるように、背面側が建物躯体Ｂの外壁面に当接する垂直面に沿う平らな板面で、前面側が背面側の板面に平行する板面に形成してある縦板部１０と、その縦板部１０の前面側の上下の略中間部位から前方に向け略水平な棚板状に突出する横板部１１とで、側面視において横向きのＴ字形をなす形状に成形してあり、かつ、この形状を断面形状として左右方向に連続する長尺材に形成してある。
【００１４】
そして、この横向きのＴ字形をなす取付部材Ａの横板部１１には、それの下面側に、庇パネルＤの基端部の上面側を当接して取付ボルトＦによる締結により庇パネルＤを取り付けるための取付座１２が形成してある。そして、この取付座１２には、庇パネルＤに挿通した取付ボルトＦの頭部２０を嵌合せしめて、その頭部２０を横板部１１に対し係着させるための嵌合部１３が、横板部１１の突出端側に寄る部位に配して形設してある。
【００１５】
この嵌合部１３は、この実施例のものにおいては、下面側に開放する断面アリ溝状の形状で、左右方向に連続する嵌合溝に形成してある。
【００１６】
この嵌合部１３に嵌合させる取付ボルトＦの頭部２０には、図６で示しているように、金属材よりなる長方形状の組付座板２１が、溶接等の固定手段により一体に固着させて付設してあり、取付ボルトＦを庇パネルＤにそれの上面側から挿通した状態において、庇パネルＤの基端側の上面を、横板部１１の下方から、取付座１２に当接させていき、その庇パネルＤの上面側に突出している取付ボルトＦの頭部２０を、それに取り付けてある組付座板２１の、短辺側がそれぞれ左右方向に沿う状態姿勢として、アリ溝状の嵌合部１３内に突入させ、その状態で、取付ボルトＦを、庇パネルＤの下面側に突出している下端部の操作により旋回させて、長方形状の組付座板２１がアリ溝状の嵌合部１３の開放口の上面側においてその開放口の前後の口縁間に渡架された状態とすることで係止されるようになり、この状態において庇パネルＤの下面側に突出している取付ボルトＦの下端側に座金２２を介してナット２３を螺合し、そのナット２３を締め込むことで、取付部材の横板部１１に対する取付ボルトＦにより庇パネルＤの締結・取り付けが完了し、庇パネルＤは、取付部材Ａの横板部１１の下面側に吊り下げ状態として取り付けられるようになる。
【００１７】
横向きのＴ字形に形成した取付部材Ａの縦板部１０の下端側には、横板部１１の下面側に取り付けた庇パネルＤの基端部及び取付ボルトＦの下端側に螺合したナット２３を覆い込む下部カバーＬを取り付けるための、取付台１４が、横板部１１下面に取り付ける庇パネルＤの基端部の下面と対応する位置に、横板部１１と平行して短く突出するように設けられる。
【００１８】
この取付台１４には、庇パネルＤの基端部の下面側及び取付ボルトＦの下端側に螺合したナット２３を覆い込む下部カバーＬを取り付けるためのビス１５を打ち込むビスホール１４０が設けられる。
【００１９】
また、縦板部１０の上端側及び横板部１１の前端側には、上部カバーとなる化粧カバーＫを係着させる係止部１６・１６が設けられ、横板部１１の上面側で、アリ溝状の嵌合部１３の上面側には、取付ボルトＦの頭部２０及び取付座板２１を覆い込む覆い部１７が、化粧板を構成するように形成して設けられる。
【００２０】
また、この取付部材Ａは、庇パネルＤを巾方向に並列させて取り付けることで組み立てる庇体Ｇが、先端下りの庇となるように構成してあるもので、横板部１１は、縦板部１０に対し、９０度＋２度の９２度の角度（α）で前方に突出するよう成形してあり、これにより、縦板部１０が垂直な建物躯体Ｂの外壁面ｂに取り付けられたときに、横板部１１が２度の勾配を保持して前方に突出し、この横板部１１の下面側に巾方向に並列させて取り付ける庇パネルＤにより組み立てられる庇体Ｇを、２度の勾配で先端下りとなるようにしている。
【００２１】
図５において、右端側に記載している部材Ｍは、上述の取付部材Ａを、それに取り付けた庇体Ｇが、先端上りの勾配を保持した状態姿勢となるように変更させる角度変更部材である。
【００２２】
この角度変更部材Ｍは、上下の巾を、取付部材Ａの縦板部１０の上下巾と対応させた縦板部３と、その縦板部３の上端部に、下向きの嵌合凹部状に形設した係止部３０と、縦板部３の下端部位に前方に向け短く突出するよう形設した横板部３１と、その横板部３１の前端の上面側に、短く上向きに突出する係止突起３２と、からなり、縦板部３の上端に設けた係止部３０を、取付部材Ａの縦板部１０の頂部に対し、上方から嵌め込むように係止し、縦板部１０の下端側に設けた短い横板部３１の前端の係止突起３２を、取付部材Ａの下端側に設けた取付台１４の後面側に形成している係止溝１８に嵌合させることで、図８に示しているように、取付部材Ａに対し、それの縦板部１０の背面側に、その縦板部１０と並列・重合した状態姿勢として、一体的に結合して組み付けられ、取付部材Ａを、建物躯体Ｂの外壁面ｂに当接して取り付けるときに、この角度変更部材Ｍが、縦板部１０に換わって建物躯体Ｂの外壁面ｂに当接し、アンカーボルトＣによる取付で、取付部材Ａの取り付けがこの角度変更部材Ｍにより行われるように変更させる。
【００２３】
この角度変更部材Ｍは、取付部材Ａの縦板部１０の背面側に一体的に組み付けたとき、該角度変更部材Ｍの縦板部３の下端部位に設けた係止突起３２が、横板部３１により、縦板部３の上端部の係止部３０よりも前方に偏位していることで、組み付けた取付部材Ａを、それの縦板部１０が、係止突起３２の前方偏位分だけ、後方に向け傾斜した状態姿勢に支持するようになる。そして、この傾斜した姿勢の縦板部１０から突出する横板部１１は、建物躯体Ｂの外壁面ｂに当接するよう、垂直な面に沿わせた角度変更部材Ｍの背面を基準として、上向きの勾配となる角度（α）で突出する状態となる。
【００２４】
この実施例では、角度変更部材Ｍの縦板部３と、これに組み付けた取付部材Ａの縦板部１０との間に、４度の角度（α）が形成されるように、係止突起３２の前方偏位置を設定していることから、２度の下向き勾配に設定してある取付部材Ａの横板部１１を、４度上方に振らせることで、２度の上向き勾配に変更させた状態とする。
【００２５】
従って、この角度変更部材Ｍを、取付部材Ａに対し、それの縦板部１０の背面側から組み付けることで、庇パネルＤを先端下りの勾配で横板部１１の下面側に取り付けるように形成してある取付部材Ａを、先端上りの勾配として庇パネルＤを組み付けられる取付部材に変更させるようになる。
【００２６】
庇パネルＤは、アルミ材等の金属材の押出成形により中空の短冊状のパネルに成形した通常のものであるが、この例においては、図９にあるように、長手方向視となる正面視において、上下の巾より左右の巾が広い扁平な四角形の左右の上隅部を、斜めに切除したように、天井壁４０を左右の両端側がそれぞれ下降傾斜する傾斜壁４１として倒立する皿状に形成し、底壁４２の両端から立ち上る左右の側壁４３を、底壁４２の左右の巾寸法の略半分の高さ寸法として、扁平な台形をなす形状で、前後方向に連続する筒状体４を、隣接する側壁４３を共有させた状態で、巾方向に三連に並列結合せしめた形態のものとして、成形してある。
【００２７】
この上面の天井壁４０を正面視で倒立する皿状に形成した扁平な台形状の断面形状で長手方向（前後方向）に連続する筒状体４を三連に並列せしめた形態に成形してある庇パネルＤは、左右の両端に位置する筒状体４の天井壁４０及び４２の各外端側に位置する略半分の部分が、天井壁４０・底壁４２の厚さ分だけ内側にずれ込む段部４４を形成していて、この段部４４と側壁４３とにより、庇パネルＤを多連に並列させて庇体Ｇに組み立てるときの嵌合部ｄを形成している。
【００２８】
この庇パネルＤを並列組み合わせて庇体Ｇに組み立てるために、庇パネルＤの左右の両側端部に形成する嵌合部ｄは、図９にあるように、同形で左右に対称するように形成してあり、これにより、庇パネルＤを前後が入れ換わるよう１８０度旋回させても、同形の嵌合部ｄが左右の両側端部に存在するようにしている。
【００２９】
この嵌合部ｄは凸の雄型であり、並列させる庇パネルＤの連結は、この雄型の嵌合部ｄに嵌り合う雌型の嵌合部ｅを、左右の両側に具備する中間連結材Ｎを用いて行うようにしている。
【００３０】
中間連結材Ｎは、図１０に示しているように、庇パネルＤの三連に並列する筒状体４の底壁４２に略対応する巾の底壁５０の上面の左右の中間部位から、筒状体４の側壁４３に対応する高さに立ち上る縦壁５１と、その縦壁５１の上端から、左右に振り分けられて筒状体４の傾斜壁４１に対応する長さで、斜めに立ち上る傾斜壁５２と、その左右の傾斜壁５２の各上端から、筒状体４の段部４４に対応する長さでそれぞれ左右に水平に張り出す天板５３とで、全体として、底壁５０の上面にＹ字形連続する形状に形成してあって、これにより左右の両側に、前記庇パネルＤの左右の両側に形設した凸の嵌合部ｄの外側に嵌合する凹の嵌合部ｅを、同形で左右に対称するように装備せしめている。
【００３１】
庇パネルＤはこの中間連結材Ｎを介し並列させることで、図１１に示しているように、巾方向に並列して一体的に連結する庇体Ｇに組み立てられる。
【００３２】
庇体Ｇの左右の側端縁に取り付けられる端部カバーＩは、図１２及び前記図９で鎖線で示しているように、庇パネルＤの底壁４２に形成した段部４４に対応する長さの底壁６０と、その底壁６０の一端側から庇パネルＤの高さ寸法に対応する高さに立ち上る縦板部６１と、その縦板部６１の上端から前記底壁６０と平行するように突出する天板６２とで、外周面の形状が、正面視において、横向きのチャンネル状をなす半截した筒状体に成形してあり、それの内周面側には、図１２において鎖線に示しているように、前記中間連結材Ｎの内周面側に形設した雌型の嵌合部ｅと同形の雌型の嵌合部ｆが形設してある。
【００３３】
そして、この端部カバーＩは、内周面側に形設した雌型の嵌合部ｆを、庇パネルＤの側端に形成してある雄型の嵌合部ｄの外周側に前記図９において鎖線に示しているように嵌め込むことで、図１３に示しているように、庇体Ｇの側端縁に組み付けられるようにしてある。
【００３４】
庇体Ｇの先端縁に取り付ける雨樋Ｊは、図１４で示しているように、断面形状がチャンネル状をなす通常の形状をなすものであるが、この例においては、後面側の壁板７０を、上端縁が、庇パネルＤの上面側に形成されるＶ字状の溝Ｕの底部に対応する高さ位置を占めるよう、前面側の壁板７１よりも低く形成し、かつ、その後面側の壁板７０の上端縁には、後方に延出する取付板７２を設けておいて、この取付板７２を、横向きのチャンネル状に形成して、庇体Ｇの前端面で、前記Ｖ字状の溝Ｕの谷底部より下った位置に組み付ける雨樋取付部材７３の上面に組み付けることで、庇体Ｇの上面側に形成されるＶ字状の溝Ｕを流れてくる雨水が、雨樋Ｊ内に流れ込むようにしている。
【００３５】
このため、雨樋Ｊは、それの上面側の開放口７４を、図１４にあるように樋カバーＳにより閉塞しておいても、庇体Ｇ上の雨水がＶ字状の溝Ｕにより雨樋Ｊ内に流れ込むので、樋カバーＳにより落葉や塵埃の入らない閉塞型にできるようになる。
【００３６】
この実施例の建物用庇は、建物躯体Ｂの外壁面ｂにアンカーボルトＣにより取り付けた取付部材Ａに庇パネルＤを取り付けて庇体Ｇを組み立てるときに、庇パネルＤは、基端側の上面を、取付部材Ａの横板部１１の下面側に設けた取付座１２に、横板部１１の下方から当接させて、その庇パネルＤの基端部に挿通した取付ボルトＦにより横板部１１に締結することで、その横板部１１の下面側において吊り下げ状態に取り付けられることから、横杆部の上面側にアンカーボルトＣの頭部をかくす化粧カバーＫが取り付けてあっても、庇パネルＤの取り付け作業ができるので、化粧カバーＫの取り付けを、作業が終了したところで庇体Ｇの上に乗って行う必要がないので、足場を組むことなく、取付部材Ａの取り付け及びその取付部材Ａに庇パネルＤの取り付けができる簡易なキャタツを用いて取付作業が行えるようになる。
【符号の説明】
【００３７】
Ａ    取付部材
Ｂ    建物躯体
Ｃ    アンカーボルト
Ｄ    庇パネル
Ｅ    アングル状の取付座板
Ｆ    取付ボルト
Ｇ    庇体
Ｈ    吊りアーム
Ｉ    端部カバー
Ｊ    雨樋
Ｋ    化粧カバー
Ｌ    下部カバー
Ｍ    角度変更部材
Ｎ    中間連結材
Ｓ    樋カバー
Ｕ    Ｖ字状の溝
Ｗ    建物用庇
ｂ    外壁面
ｄ    雄型の嵌合部
ｅ  ｆ    雌型の嵌合部
ｈ    取付金具
１０    縦板部
１１    横板部
１２    取付座
１３    嵌合部
１４    取付台
１４０    ビスホール
１５    ビス
１６    係止部
１７    覆い部
１８    係止溝
２０    頭部
２１    組付座板
２２    座金
２３    ナット
３    縦板部
３０    係止部
３１    横板部
３２    係止突起
４    筒状体
４０    天井壁
４１    傾斜壁
４２    底壁
４３    側壁
４４    段部
５０    底壁
５１    縦壁
５２    傾斜壁
５３    天板
６０    底壁
６１    縦板部
７０    後面側の壁板
７１    前面側の壁板
７２    取付板
７３    雨樋取付部材
７４    開放口
【図１】
0003156400.tif 000003
【図２】
0003156400.tif 000004
【図３】
0003156400.tif 000005
【図４】
0003156400.tif 000006
【図５】
0003156400.tif 000007
【図６】
0003156400.tif 000008
【図７】
0003156400.tif 000009
【図８】
0003156400.tif 000010
【図９】
0003156400.tif 000011
【図１０】
0003156400.tif 000012
【図１１】
0003156400.tif 000013
【図１２】
0003156400.tif 000014
【図１３】
0003156400.tif 000015
【図１４】
0003156400.tif 000016